(57)【特許請求の範囲】
【請求項１】
横型の円筒形状で一方の側面に入口側フランジを、他方の側面に粉砕物を排出する目板を有する外筒と、同外筒内で外筒の軸心を中心として回転する円筒と、前記外筒と内筒間に挿入された多数の粉砕ボールとを備え、同外筒と内筒間に投入した原料を前記粉砕ボールで摩砕して前記目板より排出する横型超微粉砕ミルの摩耗防止方法であって、前記目板及び入口側フランジをそれぞれ前記内筒の両端に取り付け、同内筒と一体して回転させ、摺動部の摩耗を低減させることを特徴とする横型超微粉砕ミルの摩耗防止方法。
【発明の詳細な説明】
【０００１】
【発明の属する技術分野】
本発明は、粒子を乾式、湿式粉砕する連続式の横型超微粉砕ミルの摩耗防止方法に関する。
【０００２】
【従来の技術】
図２は従来の横型超微粉砕ミルの構成図、図３はそのＡ部の拡大詳細図である。図２において、原料１と液体２（乾式の場合は使用しない）は投入口１６からミル内部に投入される。内筒３内には多数の粉砕ボール７が充填されており、この粉砕ボール７はモータ１２の駆動によってグランドパッキン１３を介して回転する内筒３の周方向に取付けられた内筒翼４によって攪拌される。
【０００３】
ミル内部に投入された原料１は攪拌される粉砕ボール７で摩砕され、ミル下流に移動し、端部に固定の目板８における目開き９、目板８と内筒３端部の間隙９ａを通過し、排出口１７を通って製品１０として排出される。
【０００４】
外筒５の内面の周方向に取付けてある外筒翼６は粉砕ボール７とミル内に投入された原料１との共廻り防止用として取付けられている。
【０００５】
【発明が解決しようとする課題】
前述の横型超微粉砕ミルの粉砕ボール７には次のような運動形態が発生していると推察される。
【０００６】
（１）粉砕ボール７が自転運動する。
（２）内筒が回転して周方向で内筒翼４と外筒翼６とが同一線上にきた場合、翼間では粉砕ボール７は非常に窮屈な状態となり、内筒翼４の両側に分散する。
【０００７】
（３）内筒３の表面を転動する。
以上の（１）乃至（３）のような運動がミル内部で発生しており、機側への摩耗は平坦な部分では少々発生するものの、運転の支障となる致命的なレベルまでは達しない。しかし、内筒３の両端部と目板８の下部及び外筒フランジ１９の内面下部コーナ部は、図３に示すように粉砕ボール７からの圧力（Ｗ）、他の粉砕ボール７からの圧力（Ｐ）がかかり、ＰW の方向へ移動しようとし、粉砕ボール７の接点部から摩耗１４，１５が始まり、最終的に次のような状態となる。
【０００８】
▲１▼  粉砕ボール７が図３に示すように合成力（ＰW ）により目板８の下部と内筒３の端部の摩耗部分１４，１５内に入り込み、運転不能に陥る。
【０００９】
▲２▼  粉砕ボール７が破壊され、粉々となって製品粉体に混入し、トラブルの発生要因となる。
【００１０】
▲３▼  摩耗箇所を短いスパンで補修する必要があり、メインテナンス費用が莫大となる。
【００１１】
そこで、本発明は上記の▲１▼，▲２▼，▲３▼の問題点を解消し、ミル内部の摺動部での粉砕ボール７のかみ込みを防止し、摩耗によるトラブルをなくし、粉砕ボールの割れや変形が生じなくして長期連続運転が可能で、かつ製品精度も向上し、メインテナンス費用も低減できる横型超微粉砕ミルの摩耗防止方法を提供することにある。
【００１２】
【課題を解決するための手段】
そのため、本発明は上記の課題を解決するために、次の手段を提供する。
【００１３】
横型の円筒形状で一方の側面に入口側フランジを、他方の側面に粉砕物を排出する目板を有する外筒と、同外筒内で外筒の軸心を中心として回転する円筒と、前記外筒と内筒間に挿入された多数の粉砕ボールとを備え、同外筒と内筒間に投入した原料を前記粉砕ボールで摩砕して前記目板より排出する横型超微粉砕ミルの摩耗防止方法であって、前記目板及び入口側フランジをそれぞれ前記内筒の両端に取り付け、同内筒と一体して回転させ、摺動部の摩耗を低減させることを特徴とする横型超微粉砕ミルの摩耗防止方法。
【００１４】
本発明の摩耗防止方法では、最も摩耗が著しく進行するコーナ部で常時回転している部分と静止している部分を改良し、両者共常時回転させるようにしてコーナ部での粉砕ボールの転動レベルを低下させ、この部分の摩耗を低減させるものである。即ち、外筒の一方の側面の入口側フランジと、他方の側面の目板を内筒と一体的に回転するようにした。これにより粉砕ボールが側面コーナ部で転動してコーナ部で摩擦するのが軽減され、粉砕ボールが摩耗箇所にかみ込んで粉々となって製品に混入することもなくなり、横型超微粉砕ミルの信頼性が著しく向上するようになった。
【００１５】
【発明の実施の形態】
以下、本発明の実施の形態について図面に基いて具体的に説明する。図１は本発明の実施の一形態に係る横型超微粉砕ミルの摩耗防止方法を適用する装置の構成図である。図１における基本的構成と運転方法は従来のものと同じであるので詳しい説明は省略するが、本発明の特徴は、符号１１，１８，２０，２１の部分にあり、これら特徴点を有したミルの摩耗防止方法にある。以下にこれらの特徴につき詳しく説明する。
【００１６】
図１において、１１はミル外筒５の入口側フランジ１９に近接して設けられた入口側フランジライナで入口側フランジと同じ機能を有する。２１は他方の回転目板であり、入口側フランジライナ１１と回転目板２１とは内筒３の両側にそれぞれ溶接で固定され、内筒３と共に一体的に回転する。これらライナ１１と回転目板２１の材質は内筒３と同等の材料を使用し、回転目板２１には従来と同じく目開き９が設けられている。
【００１７】
入口側の外筒６の入口側フランジライナ１１に近接した端部周囲には、フランジ支持２０が取付けられ、内筒３と一体となって回転するフランジライナ１１の周囲とは一定のクリアランスを保ってフランジライナ１１が回転可能としている。なお、このクリアランスは回転円板２１の目開き９と同寸法とする。
【００１８】
又、回転目板２１の周囲では、外筒６の周囲に目板支持１８を取付け、入口側フランジライナ１１と同様に回転目板２１とは一定のクリアランスを保って回転目板２１が回転可能となっている。なお、このクリアランスも目板９と同一寸法とし、粉砕された製品の排出を目開き９と同様に行うようにしている。
【００１９】
粉砕ボール７による摩耗については図３により既に説明したが、本発明の摩耗低減の効果を説明するため、再度詳しく補足する。図３において、コーナ部の粉砕ボール７の１個のボールの接触点は内筒３と目板８下部の２点である。粉砕ボール７の重量をＷ、他の粉砕ボール７からの圧力をＰとすると、これらの両方を受け、粉砕ボール７は合成力ＰW を受け、ＰW の方向へ移動しようとする。そのため、上記２点の接触点は更に出口側に進行する。
【００２０】
従来では内筒３は常時回転しており、これに対し目板８は静止しているため粉砕ボール７は転がりながら全周に摩耗１４，１５が発生し、最終的にはこの摩耗１４，１５は粉砕ボール７の大きさにまで進行する。
【００２１】
上記のような粉砕ボール７による摩耗を低減させるためには、粉砕ボール７の運動形態を変えることができない。そこで、本発明の実施の形態においては、最も摩耗が著しく進行するコーナ部で常時回転している内筒３と常時静止している目板８及び入口側フランジ１９とを改良し、入口側にフランジライナ１１と出口側に回転目板２１とを設け、両者を内筒３の両端に固定して一体的に回転させることにより、コーナ部での粉砕ボール７の転動運動レベルを低下させ、摩耗を低減させるようにしたものである。
【００２２】
上記のように、本実施の形態においては、前述のような構成でミルを運転するので、ミル内部のコーナ部での粉砕ボール７の転動運動を軽減し、摩耗の低減がなされ、粉砕ボール７がこの摩耗箇所に入り込んで粉々となって製品に混入されることも防止される。又、このためにメインテナンスの費用が低減され、横型超微粉砕ミルの信頼性が著しく向上するものである。
【００２３】
【発明の効果】
以上、具体的に説明したように、本発明は、横型の円筒形状で一方の側面に入口側フランジを、他方の側面に粉砕物を排出する目板を有する外筒と、同外筒内で外筒の軸心を中心として回転する円筒と、前記外筒と内筒間に挿入された多数の粉砕ボールとを備え、円外筒と内筒間に投入した原料を前記粉砕ボールで摩砕して前記目板より排出する横型超微粉砕ミルの摩耗防止方法であって、前記目板及び入口側フランジをそれぞれ前記内筒の両端に取り付け、同内筒と一体して回転させ、摺動部の摩耗を低減させることを特徴としているので目板と入口側フランジとが内筒と一体的に回転し、次のような効果を有する。
【００２４】
（１）粉砕ボールの摺動部への噛み込みが無くなるためにミルトリップの大事故が発生しない。
【００２５】
（２）粉砕ボールの割れ、変形等が生じなくなるのでランニングコストの低減と動力、製品性状が安定するために長期間の連続運転が可能となり生産性向上につながる。
【００２６】
（３）点検、保守のインタバルが長くなるためメインテナンス費用が大幅に低減する。
【００２７】
（４）目板が回転するので粉砕ボールが目開きへのはまり込みが低減出来る。
（５）目板８が回転しているので排出時のスラリへの抵抗が増加する。これによって低粘度スラリのホールド率低下による性能低下も解消出来る。
【図面の簡単な説明】
【図１】本発明の実施の一形態に係る横型超微粉砕ミルの摩耗防止方法を適用するミルの構成図である。
【図２】従来の横型超微粉砕ミルの構成図である。
【図３】図２に示すＡ部拡大詳細図である。
【符号の説明】
１      原料
３      内筒
４      内筒翼
５      外筒
６      外筒翼
７      粉砕ボール
９      目開き
１０    製品
１１    入口側フランジライナ
１６    投入口
１７    排出口
１８    目板支持
１９    入口側フランジ
２０    フランジ支持
２１    回転目板
【図１】
0003649545.tif 000002
【図２】
0003649545.tif 000003
【図３】
0003649545.tif 000004